(57)【要約】      （修正有）【課題】組糸の組み間違いの発生を防止する。【解決手段】経方向両端部の位置を不変とする複数本の組糸Ａ１〜Ａ４、Ｂ１〜Ｂ４を緯方向に配してなる複数個のグループＡ、Ｂを緯方向に配置し、隣り合うグループＡ、Ｂ双方の組糸Ａ１〜Ａ４及びＢ１〜Ｂ４を、グループＡ、Ｂ双方の対面側と反対側の組糸Ａ１、Ｂ１から対面側の組糸Ａ４、Ｂ４まで順に、組糸Ａ１〜Ａ４、Ｂ１〜Ｂ４が属するグループＡ、Ｂの組糸Ａ１〜Ａ４、Ｂ１〜Ｂ４に対し、グループＡ、Ｂと対面するグループＡ、Ｂ方向へ下方又は上方で交差させるとともに、隣り合うグループＡ、Ｂ間において、グループＡ、Ｂ双方で交差させた組糸Ａ１〜Ａ４、Ｂ１〜Ｂ４同士を上下互い違いとなるように順次交差させて平組み組織Ｄを組成する。【選択図】図９
2013139650.tif 000002
【特許請求の範囲】
【請求項１】
経方向両端部の位置を不変とする複数本の組糸を緯方向に配してなる複数個のグループを緯方向に配置し、隣り合うグループ双方の組糸を、該グループ双方の対面側と反対側の前記組糸から前記対面側の前記組糸まで順に、該組糸が属する前記グループの組糸に対し、該グループと対面する前記グループ方向へ下方又は上方で交差させるとともに、前記隣り合う前記グループ間において、該グループ双方で交差させた前記組糸同士を上下互い違いとなるように順次交差させて平組み組織を組成する方法を含むことを特徴とする平組み組織の組成方法。
【請求項２】
更に、組成された前記平組み組織の終端部を、該平組み組織を保持する保持手段で保持し、最後に交差させた前記組糸から最初に交差させた前記組糸まで順に、該組糸を元の位置に戻すように移動させて平組み組織を組成する方法を含むことを特徴とする請求項１記載の平組み組織の組成方法。
【請求項３】
少なくとも、前記隣り合う前記グループ間に、前記組糸を掛止する掛止部材を備え、該掛止部材に前記組糸を掛止することで、前記組糸同士の交差状態を保持することを特徴とする請求項１又は２記載の平組み組織の組成方法。
【発明の詳細な説明】
【技術分野】
【０００１】
本発明は、平組み組織の組成方法に関する。
【背景技術】
【０００２】
平組み組織の組成方法として、下記、非特許文献１に記載されているように、組糸を巻き付けた複数の組玉を、丸台や角台等の組台に仕掛け、この組玉を交互に動かして各組糸を移動させるとともに、順次交差させながら組成する方法が知られている。
【先行技術文献】
【非特許文献】
【０００３】
【非特許文献１】「新技法シリーズ  組紐を設計する」、１９８１年２月２８日、藤田昌三郎著、株式会社美術出版社発行、１１頁、唐組。
【発明の概要】
【発明が解決しようとする課題】
【０００４】
非特許文献１の従来技術によると、菱形模様の平組み組織（唐組み組織）を組成することができる。しかしながら、この非特許文献１の従来技術では、組糸を交差させる際の組糸の移動位置や移動順が分かり難く、組み間違いが発生しやすいという問題があった。また、菱形模様の平組み組織を組成するには、最初から最後まで、前述の組成方法を行う必要があるため、平組み組織の組成に相当な時間がかかってしまうという問題もあった。
【０００５】
本発明は、このような問題に対処することを課題とするものである。すなわち、組糸を交差させる際の移動位置や移動順を分り易くできること、平組み組織の組成時間を短縮できること、組糸を交差させる際の移動位置や移動順を分り易くすることで、組み間違いの発生を防止できること、組み間違いの発生を防止することで、意匠的に優れた平組み組織を達成できること、平組み組織の組成時間を短縮することで、迅速に平組み組織を組成できること、等が本発明の目的である。
【課題を解決するための手段】
【０００６】
前記目的を達成するため、本発明は、次の構成を少なくとも具備する。
【０００７】
経方向両端部の位置を不変とする複数本の組糸を緯方向に配してなる複数個のグループを緯方向に配置し、隣り合うグループ双方の組糸を、該グループ双方の対面側と反対側の前記組糸から前記対面側の前記組糸まで順に、該組糸が属する前記グループの組糸に対し、該グループと対面する前記グループ方向へ下方又は上方で交差させるとともに、前記隣り合う前記グループ間において、該グループ双方で交差させた組糸同士を上下互い違いとなるように順次交差させて平組み組織を組成する方法を含むことを特徴とする。
【０００８】
更に、組成された前記平組み組織の終端部を、該平組み組織を保持する保持手段で保持し、最後に交差させた前記組糸から最初に交差させた前記組糸まで順に、該組糸を交差以前の位置に戻すように移動させて平組み組織を組成する方法を含むことを特徴とする。
【０００９】
少なくとも、前記隣り合うグループ間に、前記組糸を掛止する掛止部材を備え、該掛止部材に前記組糸を掛止することで、組糸同士の交差状態を保持することが好ましい。
【発明の効果】
【００１０】
このような特徴を有することで本発明は、以下の効果を奏する。すなわち、隣り合うグループ双方の組糸を、このグループ双方の対面側と反対側の組糸から対面側の組糸まで順に交差させながら平組み組織を組成する方法であるので、組糸を交差させる際の移動位置や移動順を分り易くできるとともに、平組み組織の組成時間を短縮できる。組糸を交差させる際の移動位置や移動順を分り易くすることで、組み間違いの発生を防止できる。組み間違いの発生を防止することで、意匠的に優れた平組み組織を達成できる。平組み組織の組成時間を短縮することで、迅速に平組み組織を組成できる。
【図面の簡単な説明】
【００１１】
【図１】本発明の実施形態に係る平組み組織の組成方法の第１工程図である。
【図２】同、第２工程図である。
【図３】同、第３工程図である。
【図４】同、第４工程図である。
【図５】同、第５工程図である。
【図６】同、第６工程図である。
【図７】同、第７工程図である。
【図８】同、第８工程図である。
【図９】同、第９工程図である。
【図１０】第１工程〜第９工程により組成された平組み組織の概略平面図である。
【図１１】第９工程図から連続する工程を示す第１０工程図である。
【図１２】第１工程〜第１０工程により組成された平組み組織の概略平面図である。
【発明を実施するための形態】
【００１２】
以下、本発明の実施形態に係る平組み組織の組成方法を図１〜図９、図１１に基づいて説明する。以下で説明する実施形態は、本発明を限定するものではない。
【００１３】
以下で説明する組糸とは、一般的にいう糸に限らず、比較的幅狭な長尺帯状の布地、比較的幅広な長尺帯状の布地等が含まれる。
【００１４】
図１〜図９は、平組み組織Ｄの組成方法を示す工程図である。本実施形態では、図示するように、夫々４本の組糸を備えてなる２個のグループを用いて平組み組織を組成する方法を例示する。
【００１５】
以下の説明では、一方側のグループに符号Ａを、他方側のグループに符号Ｂを付ける。また、グループＡに属する組糸に符号Ａ１、Ａ２、Ａ３、Ａ４を、グループＢに属する組糸に符号Ｂ１、Ｂ２、Ｂ３、Ｂ４を付ける。
【００１６】
以下、平組み組織Ｄの組成方法を工程順に沿って具体的に説明する。
【００１７】
第１工程（図１）：グループＡ及びグループＢを構成する組糸Ａ１〜Ａ４、組糸Ｂ１〜Ｂ４からなる組糸群Ｃを、組糸Ａ１〜Ａ４及び組糸Ｂ１〜Ｂ４を緯方向に引き揃えて並列するとともに、経方向の両端部の位置が不変となるように固定する。
【００１８】
そして、組糸群Ｃを４本ずつに分割して、組糸Ａ１〜Ａ４から構成されるグループＡと、組糸Ｂ１〜Ｂ４から構成されるグループＢに緯方向に分割するとともに、グループＡとグループＢとの間に空間Ｓを確保する。
【００１９】
この空間Ｓは、組糸Ａ１〜Ａ４と組糸Ｂ１〜Ｂ４を交差させるためのものであり、この空間Ｓ内で平組み組織Ｄが組成される。
【００２０】
ここで、手元側（図示において下側）から先側（図示において上側）に向かう方向が経方向であり、この経方向と平面方向で交差する方向を緯方向とする。
【００２１】
以下の説明では、グループＡ、Ｂの対面側、すなわち空間Ｓ側を内側とし、この内側の緯方向反対側を外側とする。すなわち、グループＡの最も外側を組糸Ａ１とし、この組糸Ａ１から内側へ向かって順に組糸Ａ２〜Ａ４を並列させ、グループＢの最も外側を組糸Ｂ１とし、この組糸Ｂ１から内側へ向かって順に組糸Ｂ２〜Ｂ４を並列させている。
【００２２】
第２工程（図２）：組糸Ａ１を組糸Ａ２〜Ａ４に対し、その下方から内側に向けて交差させる。
【００２３】
このとき、組糸Ａ１の先側及び手元側の内側近傍に掛止部材１、２を立設するとともに、空間Ｓの手元側の中央部及び空間Ｓの先側、且つ組糸Ｂ４の内側近傍に掛止部材３、４を立設して、この掛止部材１〜４に組糸Ａ１を引っ掛けることによって、組糸Ａ１の交差状態を保持するようにしている。
【００２４】
組糸Ａ２〜Ａ４及び組糸Ｂ１〜Ｂ４を交差させる際にも、組糸Ａ１を交差させるときと同じく、組糸Ａ２〜Ａ４及び組糸Ｂ１〜Ｂ４の先側及び手元側の内側近傍に掛止部材１、２を順次立設するとともに、空間Ｓの手元側の中央部及び空間Ｓの先側、且つ組糸Ａ４〜Ａ１及びＢ４〜Ｂ２の内側近傍に掛止部材３、４を順次立設して、この掛止部材１〜４に組糸Ａ２〜Ａ４及び組糸Ｂ１〜Ｂ４を引っ掛けることによって、組糸Ａ２〜Ａ４及び組糸Ｂ１〜Ｂ４の交差状態及び平組み組織Ｄ、Ｄ”（図９参照）の組成状態を保持するようにしている。
【００２５】
掛止部材１〜４は、組糸Ａ１〜Ａ４及び組糸Ｂ１〜Ｂ４毎に立設されており、図示するように、交差する組糸Ａ１〜Ａ４及び組糸Ｂ１〜Ｂ４同士の絡み付きを防止して、組成状態及び交差状態を確実に保持することができるようになっている。更に、この掛止部材１〜４は、組糸Ａ１〜Ａ４及び組糸Ｂ１〜Ｂ４を掛止することで、この組糸Ａ１〜Ａ４及び組糸Ｂ１〜Ｂ４にテンションを作用させることができるようにしている。
【００２６】
掛止部材１、３は、交差する組糸Ａ１〜Ａ４及び組糸Ｂ１〜Ｂ４を、先側から手元側に向けて段階的にずらすように引っ掛けることができる位置に立設され、交差する組糸Ａ１〜Ａ４及び組糸Ｂ１〜Ｂ４の交差状態及び組成される平組み組織Ｄ、Ｄ”（図９参照）の組成状態を保持できるようにしている。
【００２７】
掛止部材２、４は、組糸Ａ１〜Ａ４及び組糸Ｂ１〜Ｂ４を、手元側から先側に向けて段階的にずらすように引っ掛けることができる位置に立設され、交差する組糸Ａ１〜Ａ４及び組糸Ｂ１〜Ｂ４の交差状態及び組成される平組み組織Ｄ、Ｄ”（図９参照）の組成状態を保持できるようにしている。
【００２８】
第３工程（図３）：組糸Ｂ１を組糸Ｂ２〜Ｂ４に対し、その下方から内側に向けて交差させるとともに、組糸Ａ１に対し、その上方から内側に向けて交差させる。
【００２９】
第４工程（図４）：組糸Ａ２を組糸Ａ３、Ａ４に対し、その下方から内側に向けて交差させるとともに、組糸Ｂ１に対し、その上方から内側に向けて交差させる。
【００３０】
第５工程（図５）：組糸Ｂ２を組糸Ａ１、Ｂ３、Ｂ４に対し、その下方から内側に向けて交差させるとともに、組糸Ａ２に対し、その上方から内側に向けて交差させる。
【００３１】
第６工程（図６）：組糸Ａ３を組糸Ａ４、Ｂ１に対し、その下方から内側に向けて交差させるとともに、組糸Ｂ２に対し、その上方から内側に向けて交差させる。
【００３２】
第７工程（図７）：組糸Ｂ３を組糸Ｂ４に対し、その下方から内側に向けて交差させるとともに、組糸Ａ１に対し、その上方から内側に向けて交差させ、且つ組糸Ａ２に対し、その下方から内側に向けて交差させ、更に、組糸Ａ３に対し、その上方から内側に向けて交差させる。
【００３３】
第８工程（図８）：組糸Ａ４を組糸Ｂ１に対し、その上方から内側に向けて交差させるとともに、組糸Ｂ２に対し、その下方から内側に向けて交差させ、且つ組糸Ｂ３に対し、その上方から内側に向けて交差させる。
【００３４】
第９工程（図９）：組糸Ｂ４を組糸Ａ１に対し、その下方から内側に向けて交差させるとともに、組糸Ａ２に対し、その上方から内側に向けて交差させ、且つ組糸Ａ３に対し、その下方から内側に向けて交差させ、更に、組糸Ａ４に対し、その上方から内側に向けて交差させる。
【００３５】
以上の第１工程〜第９工程によって、図１０に示すように、手元側に逆三角形状の平組み組織Ｄを組成できる。また、第２工程〜第９工程のように、組糸Ａ１〜組糸Ａ４と組糸Ｂ１〜組糸Ｂ４とを、空間Ｓ内で上下互い違いになるように順次交差させるという簡単な方法で逆三角形状の平組み組織Ｄを組成できるので、組糸Ａ１〜組糸Ａ４と組糸Ｂ１〜組糸Ｂ４を交差させる際の移動位置や移動順を分り易くできる。したがって、組糸Ａ１〜組糸Ａ４と組糸Ｂ１〜組糸Ｂ４の組み間違いを防止することができ、これによって、意匠的に優れた平組み組織Ｄを確実、且つ迅速に組成できる。
【００３６】
組糸Ａ１〜組糸Ａ４及び組糸Ｂ１〜組糸Ｂ４を交差させる際の上下関係を例示した上下関係と逆にしてもよい。
【００３７】
組成された平組み組織Ｄに連続して、この平組み組織Ｄと対称形の三角形の平組み組織Ｄ’を組成して、図１２に示すように全体として菱形の平組み組織（唐組み組織）Ｅを組成することができる。平組み組織Ｅを組成するには、平組み組織Ｄの組成と同時、且つその先側に、組糸Ａ１〜Ａ４と組糸Ｂ１〜Ｂ４とが上下互い違いに交差するように組成される平組み組織Ｄ”（図９参照）を利用して、以下の第１０工程により組成することができる。この平組み組織Ｄ”は、組糸Ａ１〜組糸Ａ４及び組糸Ｂ１〜組糸Ｂ４の両端部を、その位置が不変となるように固定することにより、平組み組織Ｄの組成と同時に自動的に組成されるものである。
【００３８】
第１０工程（図１１）：平組み組織Ｄの先側端部から先側に延びている組糸Ａ１〜組糸Ａ４と組糸Ｂ１〜組糸Ｂ４に、平組み組織Ｄを保持する保持手段の一例である紐Ｆを織り込み、この紐Ｆを縫い付けや結び付けにより固定することで、平組み組織Ｄを保持し、この状態からグループＡで最後に交差させた組糸Ａ４及びグループＢで最後に交差させた組糸Ｂ４を掛止部材３から外し、組糸Ａ４及び組糸Ｂ４を夫々外側方向へ移動させて交差以前の位置に戻す。
【００３９】
すなわち、組糸Ａ４及び組糸Ｂ４を夫々外側方向へ移動させることによって、外側から内側に向かって組糸Ａ２〜Ａ３及び組糸Ｂ２〜Ｂ４に交差していた組糸Ａ４及び組糸Ｂ４を、内側から外側に向かって組糸Ａ２〜Ａ３及び組糸Ｂ２〜Ｂ４に交差させることができる。
【００４０】
以下、組糸Ａ３から組糸Ａ１の順及び組糸Ｂ３から組糸Ｂ１の順に、組糸Ａ４及び組糸Ｂ４と同様に、掛止部材３から外して夫々外側方向へ移動させて、この組糸Ａ３〜Ａ１及び組糸Ｂ３〜Ｂ１を交差以前の位置に戻すことによって、平組み組織Ｄ”が段階的に消滅するとともに、平組み組織Ｄの先側端部と連続し、この平組み組織Ｄと同じ構造、且つ対称形とする平組み組織Ｄ’が段階的に組成され、この平組み組織Ｄ’が組成されることによって、菱形の平組み組織Ｅを組成することができる(図１２参照)。
【００４１】
第１０工程において、掛止部材２と経方向で連続する掛止部材５を立設するとともに、掛止部材４と経方向で連続する掛止部材６を立設し、この掛止部材５、６に外側方向へ移動させた組糸Ａ１〜Ａ４及び組糸Ｂ１〜Ｂ４を引っ掛けることで、交差状態及び組成状態を保持することができる。
【００４２】
以上の第９工程から連続する第１０工程によって、菱形の平組み組織Ｅを組成することができる。また、第１０工程のように、組糸Ａ４〜組糸Ａ１及び組糸Ｂ４〜組糸Ｂ１の順に、内側から外側へ交差以前の元の位置に戻すように移動させるという簡単な方法で菱形の平組み組織Ｅを組成できるので、組糸Ａ４〜組糸Ａ１と組糸Ｂ４〜組糸Ｂ１を元の位置に戻す際の移動位置や移動順を分り易くできる。したがって、組糸Ａ４〜組糸Ａ１と組糸Ｂ４〜組糸Ｂ１の組み間違いを防止することができ、これによって、意匠的に優れた平組み組織Ｅを確実、且つ迅速に組成できる。
【００４３】
以上説明した平組み組織Ｄ、Ｅの組成方法によると、組糸Ａ１〜Ａ４及び組糸Ｂ１〜Ｂ４の交差を簡単、且つ確実に行うことができるので、組糸Ａ１〜Ａ４及び組糸Ｂ１〜Ｂ４の本数を増やしても、その組間違いを防止することができる。したがって、意匠的に優れた平組み組織Ｄ、Ｅを組成できる。また、掛止部材１〜６によって、組糸Ａ１〜Ａ４及び組糸Ｂ１〜Ｂ４の交差状態及び平組み組織Ｄ、Ｅの組成状態を保持することができる。
【００４４】
組成された平組み組織Ｄ、Ｅは、外周を縫い付けや紐等を織り込むことによって、平組み組織Ｄ、Ｅがほつれないようにすることが好ましい。
【００４５】
尚、例示した実施形態では２個のグループＡ、Ｂとしたものであるが、３個以上のグループであっても、平組み組織Ｄ、Ｅを組成することができる。また、組成された平組み組織Ｄ、Ｅの外周端部から出ている組成されない組糸Ａ１〜Ｂ４は、装飾として機能させてもよいし、切り取ってもよい。
【符号の説明】
【００４６】
Ａ：グループ
Ｂ：グループ
Ａ１：組糸
Ａ２：組糸
Ａ３：組糸
Ａ４：組糸
Ｂ１：組糸
Ｂ２：組糸
Ｂ３：組糸
Ｂ４：組糸
Ｄ：平組み組織
Ｅ：平組み組織
３：掛止部材
４：掛止部材
【図１】
2013139650.tif 000003
【図２】
2013139650.tif 000004
【図３】
2013139650.tif 000005
【図４】
2013139650.tif 000006
【図５】
2013139650.tif 000007
【図６】
2013139650.tif 000008
【図７】
2013139650.tif 000009
【図８】
2013139650.tif 000010
【図９】
2013139650.tif 000011
【図１０】
2013139650.tif 000012
【図１１】
2013139650.tif 000013
【図１２】
2013139650.tif 000014